(57)【要約】【課題】ユーザが容易に組み立てることを可能にする 電子機器用ラックを提供する。【解決手段】電子機器用ラック１は、下方に向かって開放する正面視Ｃ字状の天板２と、上方に向かって開放する正面視Ｃ字状の底板３と、前後の両端を内側に折り返して形成された一対のレール部４２を有する左右の側板４と、天板２と底板３との間で空間を上下方向に部分的に仕切る一対の仕切り板５と、を備え、天板２、底板３及び仕切り板５が側板４のレール部４２に嵌合される。【選択図】図１
2019087595.tif 000002
【特許請求の範囲】
【請求項１】
電子機器用ラックであって、
下方に向かって開放する正面視Ｃ字状の天板と、
上方に向かって開放する正面視Ｃ字状の底板と、
前後の両端を内側に折り返して形成された一対のレール部を有する左右の側板と、
前記天板と前記底板との間で空間を上下方向に部分的に仕切る一対の仕切り板と、を備え、
前記天板、前記底板及び前記仕切り板が前記側板の前記レール部に嵌合されることを特徴とする電子機器用ラック。
【請求項２】
前記仕切り板が、側方に向かって開放する正面視Ｃ字状に形成され、Ｃ字状の折り曲げ箇所の近傍に前記側板の前記レール部に摺動自在に嵌合される溝部を有することを特徴とする請求項１に記載の電子機器用ラック。
【請求項３】
前記天板が前記側板の前記レール部の上部に嵌合される天板被嵌合部を有し、前記底板が前記側板の前記レール部の下部に嵌合される底板被嵌合部を有し、前記天板被嵌合部及び前記底板被嵌合部の少なくとも１つに取り付けられた弾性部材と、を有することを特徴とする請求項１又は２に記載の電子機器用ラック。
【発明の詳細な説明】
【技術分野】
【０００１】
本発明は、電子機器用ラックに関する。
【背景技術】
【０００２】
従来、例えばネットワークに係る電子機器を段積みに搭載するラックが知られている（例えば、特許文献１参照）。特許文献１は、電子機器用ラックにおいて電子機器を搭載する仕切り板（特許文献１では、「レール」と呼称）を容易にしかも任意の高さに取り付けることを目的として、仕切り板とその両端部を支持する前後の縦フレームとからなる電子機器用ラックを開示している。
【０００３】
具体的には、仕切り板は、その両端部の係止爪と、その内側に上下方向の長孔とを備え、一方の（前側の）縦フレームは、係止孔と、その内側の縦方向のスリットと、更にその内側のネジ孔とを備え、他方の（後側の）縦フレームは、係止孔と、その内側のネジ孔とを備えている。仕切り板は、その係止爪が、高さ方向に一定の間隔を開けて設けられている係止孔に段階的に取り付けられるか、同じく高さ方向に長孔を形成するスリットに無段階的に取り付けられるかを選択することができ、選択後に、ネジ孔を介してネジ止めされる。
【０００４】
しかしながら、特許文献１では、仕切り板を取り付けるに際し、その両端部の係止爪が前後の縦フレームにおいて高さ方向にずれてしまい前後で斜めに取り付けてしまったり、左右の仕切り板の係止爪が左右の縦フレームにおいて高さ方向にずれてしまい左右で斜めに取り付けてしまったりするおそれがあるという問題があった。さらには、仕切り板を縦フレームに係止した後にネジ止めが必要なためユーザにとって煩雑であり、特に、取り付け後に前後又は左右のずれに気付いた場合は、ネジ止めをやり直さなければならないという問題があった 。
【先行技術文献】
【特許文献】
【０００５】
【特許文献１】実開平７−２９８９２号公報
【発明の概要】
【発明が解決しようとする課題】
【０００６】
本発明は、かかる課題に鑑みなされたものであり、ユーザが容易に組み立てることを可能にする電子機器用 ラックを提供することを目的とする。
【課題を解決するための手段】
【０００７】
上記した課題を解決するために、本発明は、以下の態様によって把握される。
（１）本発明に係る態様は、電子機器用ラックであって、下方に向かって開放する正面視Ｃ字状の天板と、上方に向かって開放する正面視Ｃ字状の底板と、前後の両端を内側に折り返して形成された一対のレール部を有する左右の側板と、前記天板と前記底板との間で空間を上下方向に部分的に仕切る一対の仕切り板と、を備え、前記天板、前記底板及び前記仕切り板が前記側板の前記レール部に嵌合されることを特徴とする。
【０００８】
（２）上記（１）に記載の構成において、前記仕切り板が、側方に向かって開放する正面視Ｃ字状に形成され、Ｃ字状の折り曲げ箇所の近傍に前記側板の前記レール部に摺動自在に嵌合される溝部を有する。
【０００９】
（３）上記（１）又は（２）に記載の構成において、前記天板が前記側板の前記レール部の上部に嵌合される天板被嵌合部を有し、前記底板が前記側板の前記レール部の下部に嵌合される底板被嵌合部を有し、前記天板被嵌合部及び前記底板被嵌合部の少なくとも１つに取り付けられた弾性部材と、を有する。
【発明の効果】
【００１０】
本発明によれば、ユーザが容易に組み立てることを可能にする 電子機器用ラックを提供することができる。
【図面の簡単な説明】
【００１１】
【図１】本発明の実施形態に係る電子機器用ラックについて電子機器を搭載した状態を示す正面図である。
【図２】図１において、電子機器用ラックについて電子機器を搭載していない仮想の状態を示す正面図である。
【図３】電子機器用ラックを分解して示す斜視図である。
【図４】電子機器用ラックを上面から天板及び仕切り板を省略して示す平面図である。
【図５】図４の領域Ｆ１を拡大して示す図である。
【図６】電子機器用ラックを上面から天板を省略して示す平面図である。
【図７】図６の領域Ｆ２を拡大して示す図である。
【図８】電子機器用ラックの変形例を分解して示す斜視図である。
【図９】図５の領域Ｆ１に対応する図８の領域を拡大して示す図である。
【発明を実施するための形態】
【００１２】
以下、添付図面を参照して、本発明の実施形態について詳細に説明するが、各図において、同一符号は同一又は対応する部分を示す。また、本発明は、以下の説明からも明らかなようにこれらの実施形態に限定されるものではなく、発明の要旨の範囲内において当業者であれば種々の変形が可能である。
【００１３】
（電子機器用ラック）
まず、本実施形態に係る電子機器用ラック１の全体構成について、図１及び図２を参照して説明する。図１は、電子機器Ｅａ，Ｅｂ，Ｅｃを搭載した状態の電子機器用ラック１を示している。図２は、図１から電子機器Ｅａ，Ｅｂ，Ｅｃを省略して電子機器用ラック１のみを示している。電子機器Ｅａ，Ｅｂ，Ｅｃは、例えばネットワークを構成する各種電子機器であるが、特定の用途に用いられるものに限られない。
【００１４】
図１に示すように、電子機器用ラック１は、天板２と、底板３と、左右の側板４と、天板２と底板３との間で空間を上下方向に部分的に仕切る一対の仕切り板５と、を備えている。天板２、底板３及び仕切り板５は、側板４のレール部４２（図３参照）に嵌合される。図１では、下から順に、電子機器Ｅｃが底板３の上に、電子機器Ｅｂが電子機器Ｅｃの上に、仕切り板５が電子機器Ｅｂの上に、電子機器Ｅａが仕切り板５の上に、それぞれ載置されている場合を示している。なお、ここでは、３台の電子機器Ｅａ，Ｅｂ，Ｅｃを示しているが、もちろんその台数に限られるものではなく、２台でも４台以上でもよい。
【００１５】
図１では、放熱性を確保する必要がある電子機器Ｅａと電子機器Ｅｂの間に仕切り板５を位置させた例を示しており、仕切り板５によって電子機器Ｅａと電子機器Ｅｂの間に空間Ｈが確保されている。もちろん、電子機器Ｅｂ，Ｅｃの種類によっては、仕切り板５を、電子機器Ｅｂと電子機器Ｅｃの間、電子機器Ｅｃと底板３の間にも設けてかまわない。このように、本実施形態では、搭載された電子機器Ｅａの重量は仕切り板５を介して電子機器Ｅｂが、電子機器Ｅａ，Ｅｂの重量は電子機器Ｅｃが、電子機器Ｅａ，Ｅｂ，Ｅｃの重量は底板３が支持する構造となるため、従来のラックと対比して支持構造に要する部材を減らすことができる。
【００１６】
図２は、電子機器用ラック１の構成要素を把握し易いように、電子機器Ｅａ，Ｅｂ，Ｅｃを省略して、電子機器用ラック１のみを図示している。詳しくは後述するように、仕切り板５は側板４に対して摺動自在に嵌合されており、側板４の特定の位置に固定されない。したがって、仕切り板５は、フリーな状態では、底板３に接するまで下降するものであるが、図２では、実施形態の説明上、図１に対応する位置に仕切り板５があるものとして仮想の状態を示している。
【００１７】
（天板）
次に、図３に示す分解斜視図を参照して、電子機器用ラック１の構成要素を各別に説明する。天板２は、下方に向かって開放する正面視Ｃ字状を形成しており、電子機器用ラック１を覆う天蓋部２１と、天蓋部２１の左右から下方に向かって延在する一対の天板被嵌合部２２とを有する。天板被嵌合部２２は、後述する側板４のレール部４２の上部に嵌合される。天板２をＣ字状に形成するにあたっては、例えば、天蓋部２１及び左右の天板被嵌合部２２を各別の部材で形成して互いに接合してもよいが、製造工程を簡略化する観点からは、１枚の板金を屈曲させて２部３面を構成することが好適である。
【００１８】
（底板）
底板３は、上方に向かって開放する正面視Ｃ字状を形成しており、電子機器Ｅａ，Ｅｂ，Ｅｃを支持する支持部３１と、支持部３１の左右から上方に向かって延在する一対の底板被嵌合部３２とを有する。底板被嵌合部３２も、天板被嵌合部２２と同様に、後述する側板４のレール部４２の下部に嵌合される。底板３をＣ字状に形成するにあたっては、例えば、支持部３１及び左右の底板被嵌合部３２を各別の部材で形成して互いに接合してもよいが、製造工程を簡略化する観点からは、１枚の板金を屈曲させて２部３面を構成することが好適である。
【００１９】
（側板）
側板４は、平板状の本体部４１と、本体部４１の前後（図中、手前側と奥側）の両端に高さ方向（上下方向）に沿って形成された一対のレール部４２とを有する。側板４にレール部４２を形成するにあたっては、例えば、本体部４１及び前後のレール部４２を各別の部材で構成して互いに接合してもよいが、製造工程を簡略化する観点からは、１枚の板金の前後の両端を内側に折り返してレール部４２を形成することが好適である。レール部４２には、前述したとおり、その上部に天板２の天板被嵌合部２２が、その下部に底板３の底板被嵌合部３２が嵌合される。天板被嵌合部２２及び底板被嵌合部３２がレール部４２に嵌合する態様は実質的に同様であるので、以下では、底板被嵌合部３２に代表させて説明する。
【００２０】
図４は、天板２及び仕切り板５を省略して電子機器用ラック１を上面視した平面図であり、図５は、図４の領域Ｆ１すなわち底板３と側板４の嵌合状態を拡大して示す図である。図４では、図示の関係上、底板被嵌合部３２が側板４の本体部４１とレール部４２に密接しているように示しているが、実際は、底板被嵌合部３２とレール部４２の嵌合状態を拡大して示す図５のとおり、クリアランスＣが設けてある。
【００２１】
側板４は、厚みＴ１を有する本体部４１の端部を折り返して形成されたレール部４２を有しており、本体部４１とレール部４２の間には間隙４３が形成される。間隙４３は、嵌合される底板３の底板被嵌合部３２の厚みＴ２に両側のクリアランスＣを加えた幅となる。
【００２２】
なお、厚みＴ１と厚みＴ２は、同じであっても異なっていてもいずれでもよいが、側板４と底板３を同じ部材（例えば、板金）で構成した場合には、同じ厚みとなる。また、ここでは、説明の便宜上、間隙４３において底板被嵌合部３２の両側にクリアランスＣが均等にあるように示しているが、底板被嵌合部３２は本体部４１の側又はレール部４２の側に偏った位置にあっても問題なく、底板被嵌合部３２が間隙４３の幅方向の中央に位置しなければならないことを意味するものではない。
【００２３】
以上のような構成に基づいて、底板被嵌合部３２（及び天板被嵌合部２２）を側板４のレール部４２に嵌合することにより、電子機器用ラック１は、ネジ止めなどの固定手段を必要とすることなく組立される。
【００２４】
（仕切り板）
仕切り板５は、天板２と底板３との間で空間を上下方向に部分的に仕切るように構成されており、左右の側板４に対応して一対で設けられる。仕切り板５は、側方に向かって開放する正面視Ｃ字状に形成されており、上仕切り部５１と、下仕切り部５２と、上仕切り部５１と下仕切り部５２の一方の端部を接続する妻板部５３とを有する。上仕切り部５１及び下仕切り部５２の基端であってＣ字状の折り曲げ箇所（上仕切り部５１と妻板部５３及び下仕切り部５２と妻板部５３の接続箇所）の近傍には、溝部５４が切り込まれている。
【００２５】
仕切り板５を電子機器用ラック１に取り付ける際には、妻板部５３を側板４の本体部４１の側にして、溝部５４が側板４のレール部４２に嵌合される。仕切り板５は、内側に向かって開放された状態となる。仕切り板５を形成するにあたっては、例えば、上仕切り部５１、下仕切り部５２及び妻板部５３を各別の部材で形成して互いに接合してもよいが、製造工程を簡略化する観点からは、１枚の板金を屈曲させて３部３面を構成することが好適である。
【００２６】
仕切り板５の溝部５４が側板４のレール部４２に嵌合される態様について、図６及び図７を参照して、説明する。図６は、天板２を省略して電子機器用ラック１を上面視した平面図であり、図７は、図６の領域Ｆ２すなわち側板４と仕切り板５の嵌合状態を拡大して示す図である。
【００２７】
図６に示すように、仕切り板５の前後（図中では上下）に設けられている一対の溝部５４は、側板４の前後（図中では上下）に設けられている一対のレール部４２に摺動自在に嵌合される。図６では、図示の関係上、仕切り板５の妻板部５３が側板４の本体部４１とレール部４２に密接し、側板４のレール部４２が仕切り板５の溝部５４に密接しているように示しているが、実際は、溝部５４とレール部４２の嵌合状態を拡大して示す図７のとおり、クリアランスＣが設けてある。
【００２８】
側板４は、図５と同様であるが、図７に示すように、厚みＴ１を有する本体部４１の端部を折り返して形成されたレール部４２を有しており、本体部４１とレール部４２の間には間隙４３が形成される。間隙４３は、嵌合される仕切り板５の妻板部５３の厚みＴ３に両側のクリアランスＣを加えた幅となる。
【００２９】
なお、厚みＴ１と厚みＴ３は、同じであっても異なっていてもいずれでもよいが、側板４と仕切り板５を同じ部材（例えば、板金）で構成した場合には、同じ厚みとなる。また、ここでは、説明の便宜上、間隙４３において妻板部５３の両側にクリアランスＣが均等にあるように示しているが、妻板部５３は本体部４１の側又はレール部４２の側に偏った位置にあっても問題なく、妻板部５３が間隙４３の幅方向の中央に位置しなければならないことを意味するものではない。厚みＴ３は、前述した天板被嵌合部２２及び底板被嵌合部３２の厚みＴ２と同じであっても異なっていてもいずれでもよいが、天板２及び底板３と仕切り板５を同じ部材（例えば、板金）で構成した場合には、同じ厚みとなる。
【００３０】
他方、仕切り板５には、前述したように、上仕切り部５１（及び下仕切り部５２）の基端に溝部５４が形成されている。溝部５４は、側板４のレール部４２の厚みＴ１に両側のクリアランスＣを加えた幅となる。説明の便宜上、溝部５４においてレール部４２の両側にクリアランスＣが均等にあるように示しているが、間隙４３と同様に、レール部４２は妻板部５３の側又は上仕切り部５１の側に偏った位置にあっても問題なく、レール部４２が溝部５４の幅方向の中央に位置しなければならないことを意味するものではない。
【００３１】
以上のような構成に基づいて、仕切り板５の妻板部５３が側板４の間隙４３に、側板４のレール部４２が仕切り板５の溝部５４にそれぞれ嵌合することにより、仕切り板５は側板４に摺動自在に嵌合されることとなる。これにより、仕切り板５は、ネジ止めなどの固定手段を必要とすることなく電子機器Ｅａ，Ｅｂ，Ｅｃに応じて任意の位置に設定することができ、さらに、電子機器Ｅａ，Ｅｂ，Ｅｃとフリーに当接することによって、前後方向及び左右方向において自然に水平を維持することができ、設定位置を調整／微調整／再調整する必要がない。
【００３２】
（変形例）
電子機器用ラック１の変形例について、図８及び図９を参照して説明する。図８は、図３に対応して電子機器用ラック１の変形例を分解して示す斜視図であり、図９は、図８における底板３の底板被嵌合部３２について、図５の領域Ｆ１に対応する領域を拡大して示す図である。
【００３３】
変形例は、天板２の天板被嵌合部２２及び底板３の底板被嵌合部３２の少なくとも１つに弾性部材６を設けるものである。図８では、天板被嵌合部２２の下端の前後の隅、及び、底板被嵌合部３２の上端の前後の隅に、弾性部材６を貼着して設けた例を示しているが、電子機器用ラック１の寸法及び材質、電子機器Ｅａ，Ｅｂ，Ｅｃの重量などを勘案して天板被嵌合部２２及び底板被嵌合部３２のいずれか一方に設けてもよい。弾性部材６は、例えばシリコンゴムなどから形成される。
【００３４】
弾性部材６は、拡大して図９に示すように、底板３の底板被嵌合部３２を側板４の本体部４１とレール部４２の間の間隙４３に嵌合した際に生ずるクリアランスＣを実質的に充足する。これにより、クリアランスＣの寸法によっては起こり得る組立後の電子機器用ラック１の不安定性を防止し安定性を確保することができる。なお、図９では底板３の底板被嵌合部３２について示しているが、天板２の天板被嵌合部２２についても同様である。
【００３５】
（実施形態の効果）
以上のような構成としたことから、本実施形態に係る電子機器用ラック１は、以下のような効果を奏する。
（１）天板２、底板３及び仕切り板５が側板４のレール部４２に嵌合されることから、ユーザが電子機器用ラック１を容易に組み立てることができる。また、組立にネジ止めなどの固定手段を用いないため、部品点数を少なくすることができるとともに、組立に際し工具類を用いる必要がない。
（２）仕切り板５を正面視Ｃ字状に構成したことから、段積みされる電子機器Ｅａ，Ｅｂ，Ｅｃの間で必要な箇所に放熱を確保するための空間を提供することができる。また、仕切り板５を側板４に対して摺動自在に設けたことから、電子機器Ｅａ，Ｅｂ，Ｅｃの個々の高さに応じて任意の位置に容易に設置でき、高さの調整／微調整／再調整が不要となる。
（３）天板被嵌合部２２及び底板被嵌合部３２の少なくとも１つに弾性部材６を取り付けたことから、組立後の電子機器用ラック１を安定にすることができる。
【００３６】
以上、実施形態について説明したが、本発明は、具体的な実施形態に限定されるものではなく、種々の変更を行ったものも含まれるものであり、そのことは、当業者にとって特許請求の範囲の記載から明らかである。
【符号の説明】
【００３７】
１…電子機器用ラック
２…天板、２１…天蓋部、２２…天板被嵌合部
３…底板、３１…支持部、３２…底板被嵌合部
４…側板、４１…本体部、４２…レール部、４３…間隙
５…仕切り板、５１…上仕切り部、５２…下仕切り部、５３…妻板部、５４…溝部
６…弾性部材
Ｅａ，Ｅｂ，Ｅｃ…電子機器
Ｈ…空間
Ｆ１，Ｆ２…領域
Ｔ１…厚み（側板の）、Ｔ２…厚み（底板被嵌合部の）、Ｔ３…厚み（妻板部の）
Ｃ…クリアランス
【図１】
2019087595.tif 000003
【図２】
2019087595.tif 000004
【図３】
2019087595.tif 000005
【図４】
2019087595.tif 000006
【図５】
2019087595.tif 000007
【図６】
2019087595.tif 000008
【図７】
2019087595.tif 000009
【図８】
2019087595.tif 000010
【図９】
2019087595.tif 000011